(57)【要約】【課題】  イメージコード化電子ブックの構造を提供する。【解決手段】本考案の構造は、コード化された書籍、コントロールボックス、及び読取装置とから構成され、該読取装置により書籍内頁のターゲットを取得する。該ターゲットは、そのコードの頁、或いは、識別できる文字、数値符号に対応する。前記読取装置は、取得したコード頁、及び、座標値、或いは、識別できる文字、或いは、数値符号信号を、コントロールボックスに伝送し、コントロールボックス内のデコーダーによりデコードした後得られた数値データをマルチメディア制御回路により読み取り、メモリモジュール内のデコード化した後に得られる数値データの保存位置を確認後、マルチメディア制御回路により出力されて、スピーカーやプレーヤーに出力して、ビジュアルオーディオ効果を生成する。これにより、使用者は書籍内頁の内容を選択すると、内容のビジュアルオーディオ効果を視聴することができる。【選択図】図６
0003106896.tif 000002
【実用新案登録請求の範囲】
【請求項１】
イメージコード化電子ブックの構造であって、
内頁に印刷されたパターンや文字が一定数量のドットに対応し、前記パターンや文字を含むドットは、ブロックコードの頁、及び、座標値、或いは、識別できる文字、或いは、数値符号を構成し、ドットが使用する印刷色番号は、パターンと文字が使用する印刷色番号と重複しない書籍と、
読み取りヘッド及び該読み取りヘッドの前端に設けたフィルターを有し、前記フィルターはドットが使用する色番号の波長を透過するように対応し、これにより、文字、或いは、パターンが使用する色番号の波長を遮断して、フィルターの機能を達成すると共に、ドットが構成するブロックコードの頁、及び、座標値、或いは、識別できる文字、或いは、数値符号の読み取りを達成する読取装置と、
外表面に、少なくとも、電源スイッチ、スピーカーを設置し、内部にデコーダー、マルチメディア制御回路、メモリモジュールを有し、前記マルチメディア制御回路により、全機能を実行するコントロールボックスと、
からなり、
前記読取装置は、前記書籍内頁のターゲットを取得し、前記ターゲットは、そのコードの頁、及び、座標値、或いは、識別できる文字、或いは、数値符号に対応し、前記読取装置は、取得したコード頁、及び、座標値、或いは、識別できる文字、或いは、数値符号信号を前記コントロールボックスに伝送し、前記デコーダーによりデコードを実行し、デコードされて得たデータを更に、前記マルチメディア制御回路を経て、前記メモリモジュール内の対応するデータを読み取り、前記メモリモジュールから読み取られる対応する前記頁のデータの保存位置を確認すると共に、前記スピーカーに出力して、音声再生の機能を達成することを特徴とするイメージコード化電子ブックの構造。
【請求項２】
前記書籍の内頁は、白紙、或いは、色紙を表面にし、特殊な色のインクにより、ドットを印刷し、前記ドットは、ＸとＹ軸方向に延伸し、頁の前面に形成し、前記ドット間の距離は、文字、或いは、パターンがレイアウトしたい版面の大きさを含む範囲によって、前記ドットの印刷間隔を設定し、更に、前記ドット表面に、カラーの文字、パターンを印刷するか、或いは、白紙、或いは、色紙表面に、まず、カラーの文字、パターンを印刷した後、特殊なカラーインクにより、ドットを印刷することを特徴とする請求項１に記載のイメージコード化電子ブックの構造。
【請求項３】
前記読取装置は、ＣＣＤセンサー、或いは、ＣＭＯＳセンサーで、前記コントロールボックス間は、ワイヤレス、或いは、有線の方式で、信号伝送を達成することを特徴とする請求項１に記載のイメージコード化電子ブックの構造。
【請求項４】
前記コントロールボックスは、表面の適切な場所に、スロットを設け、前記メモリモジュール内に、予め入力されたデータは、前記コントロールボックスが有する前記スロットにより、外接式挿接方式のアクセス装置でアクセスし、前記アクセス装置は、ＳＤ，ＣＦ，ＨＤ，一般のアクセス装置で、前記コントロールボックスは、表面の適切な場所に送信器を有し、前記コントロールボックスの前記送信器により、ワイヤレス伝送方式で、ＴＶ，ＤＶＤ，ＶＣＤ，ＣＤ，映像プレーヤー、或いは、ブルートゥースイヤフォンが出力するイメージや、音声を制御し、前記コントロールボックスは、表面の適切な場所に外部接続端子を設け、この外部接続端子により、有線連結の伝送方式で、イメージ、或いは、音声を、イヤフォン、ＴＶ，ＤＶＤ，ＶＣＤ，ＣＤ，或いは、プレーヤーに出力し、前記コントロールボックスは、表面に、ディスプレイと機能キーを有し、制御、選択、実行、或いは、出力を行うことを特徴とする請求項１に記載のイメージコード化電子ブックの構造。
【請求項５】
前記デコーダーの回路、前記マルチメディア制御回路、及び、前記メモリモジュールの回路は、モジュール化回路、或いは、半導体チップに形成されることを特徴とするイメージコード化電子ブックの構造。
【請求項６】
前記読取装置と前記コントロールボックスは、単一構造の電子素子に組み込まれて、同一の構造体に構成されると共に、録音、ＭＰ３再生の機能を具備し、前記読取装置の回路素子と前記デコーダーの回路、前記マルチメディア制御回路、及び、前記メモリモジュールの回路は、同一のモジュール化回路、或いは、半導体チップに形成されることを特徴とする請求項１に記載のイメージコード化電子ブックの構造。
【考案の詳細な説明】
【技術分野】
【０００１】
本考案は、従来は、文字、或いは、パターンでしか閲読できず、内容に対応する動的なオーディオビジュアル効果が得られない、という公知の書籍に対して改良を加えたイメージコード化電子ブックの構造に関するもので、本構造は、従来の書籍の閲読機能を備える以外に、書籍の内容が描写する文字やパターンを、オーディオビジュアルに転換して出力し、使用者が、閲読と同時に、視聴機能の動的効果を達成できる構造に関するものである。
【背景技術】
【０００２】
各種書籍は現代人の生活に重要な役割を担い、書籍を閲読することにより、心を浄化し、知識を豊富にし、学問を追求することができる。しかし、一般の書籍は、文字、或いは、パターンでしか閲読できない。つまり、書籍内容は、使用者に、見る、読む、ということだけを提供し、書籍自体は、その内容を動的なイメージ、或いは、オーディオに転換して出力することができない。
【０００３】
使用者に、見る、読む、という以外に、視聴の機能を提供するのに、カード式電子辞典がある。この方式では、カード内にメモリが搭載され、書籍に関係するデータを保存しており、データを電子辞典のディスプレイに表示する。これによれば、閲読と電子辞典の音声の効果が得られるが、価格が高く、操作が煩雑で、低年齢層に適用できないという問題もある。
更にもう一つは、光ディスクにより書籍データを保存し、使用者が閲読したい時、ディスクをディスクプレーヤーやパソコンに装着し、ソフトによりディスクデータを読み取り、閲読と視聴の機能を得るようにしている。しかし、これは、コンピュータのコストが高くなるほか、ソフトにもコストがかかり、コンピュータやソフトを使用できる人だけに適用が限られる。
従って、これら現在の方式では、操作が簡単で、普及可能で、コストが安いという目的が達成されない。いかにして、この問題を解決するかが、関係する業者にとって重要な課題となっている。
【考案の開示】
【考案が解決しようとする課題】
【０００４】
本考案は、描写する文字やパターンの内容をオーディオビジュアルに転換して出力するということのできない従来の書籍を改善し、使用者が、基本の閲読機能以外に、その内容を、動的なオーディオビジュアルに転換して出力し、「見る、聞く、読む」の三大機能を有するイメージコード化電子ブックの構造を提供することを目的とする。
【０００５】
また、本考案は、コストを減少させ、携帯が便利で、操作が容易で、老若男女問わず使用できる普及化教材となるイメージコード化電子ブックの構造を提供することをもう一つの目的とする。
【課題を解決するための手段】
【０００６】
本考案のイメージコード化電子ブックの構造は、コード化された書籍、コントロールボックス、及び、読取装置（単一構造の電子素子に整合できる）から構成され、読取装置により、書籍内頁のターゲットを取得し、該ターゲットが、そのコードの頁、或いは、識別できる文字、数値符号に対応し、読取装置が、取得したコード頁、及び、座標値、或いは、識別できる文字、或いは、数値符号信号をコントロールボックスに伝送し、コントロールボックス内のデコーダーによりデコードした後得られる数値データを、マルチメディア制御回路により取り込み、メモリモジュール内のデコード化した後に得られる数値データの保存位置を確認した後、マルチメディア制御回路により、スピーカー、プレーヤーに出力し、ビジュアルオーディオ機能を生成する。デコーダーのデコード回路、マルチメディア制御回路、及び、メモリモジュールは、モジュール化回路、或いは、半導体チップに形成され、これにより、使用者は、書籍内頁の内容を選択すると、その内容に応じたビジュアルオーディオ効果を視聴することができる。
【考案の効果】
【０００７】
使用者が、書籍における基本の閲読機能以外に、その内容を、動的なオーディオビジュアルに転換して出力し、見る、聞く、読む、ということができる。また、コストを減少させて、携帯が便利で、操作が容易で、老若男女問わず使用できるという長所がある。
【考案を実施するための最良の形態】
【０００８】
まず、図１を参照すると、本考案のイメージコード化電子ブックの構造は、コード化書籍１０、読取装置２０、及び、コントロールボックス３０からなる。読取装置２０は、書籍１０内頁のターゲットを取得し、該ターゲットがコードの座標値に対応し、読取装置２０が、取得した座標値信号をコントロールボックス３０に伝送し、音声、イメージに転換して、コントロールプレーヤーやディスプレイに出力する。
【０００９】
図２を参照して説明すると、イメージコード化電子ブックの構造において、書籍１０の内頁１１に印刷されたパターン１２、或いは、文字１３は、一定数量のドット１４を有している。パターン１２や文字１３を含んだドット１４は、ブロックコードの頁、及び、座標値、或いは、識別できる文字や数値符号を構成して、パターン１２、或いは、文字１３の表示する範囲内において、任意の一点が、正確な文字発音、図解説明、或いは、パターンの再生の機能に対応する。
【００１０】
図２〜図４を参照してさらに詳述すると、本考案のイメージコード化電子ブックの構造において、書籍１０の内頁１１は、白紙、或いは、色紙を表面にし、特殊な色のインクにより、ドット１４を印刷する。このドット１４は、Ｘ及びＹ軸方向に延伸し、頁の前面に形成するか、或いは、文字１３、パターン１２だけを印刷し、この文字１３及びパターン１２の位置にドット１４を印刷して、頁及び、座標値、或いは、識別出来る文字、或いは、数値符号をコード化し、局部印刷ドット１４のコードブロックを構成する。ドット１４間の距離は、文字１３、或いは、パターン１２がレイアウトしたい版面の大きさを含む範囲によって、ドット１４の印刷間隔を設定する。ドット１４の印刷領域に、カラーの文字１３、パターン１２を印刷し、或いは、白紙、或いは、色紙表面に、まず、カラーの文字１３、パターン１２を印刷した後、特殊なカラーインクにより、ドット１４を印刷しても、同様な効果が得られる。
【００１１】
上述のドット１４が使用するインクの色番号は、文字１３、パターン１２、或いは、色紙で使用される色番号と重複してはいけない。これは読み取りがエラーになったり、不正確になったりするのを防ぐためである。
【００１２】
図１、図５に示す本考案のイメージコード化電子ブックの構造において、読取装置２０とコントロールボックス３０間に、ワイヤレス、或いは、有線の方式で、信号伝送手段を設ける。読取装置２０の前端に設けた読み取りヘッド２１はフィルター２２を有し、フィルター２２の色は、ドット１４が使用する色番号に対応する。これにより、文字１３、或いは、パターン１２が使用する色番号の波長を透過し、色フィルター機能を達成すると共に、ドット１４が構成するブロック頁、及び、頁、及び、座標値、或いは、識別できる文字、或いは、数値符号を読み取る。読取装置２０は、ＣＣＤセンサー、或いは、ＣＭＯＳセンサーで構成される。コントロールボックス３０は、外表面に、ディスプレイ３１、電源スイッチ３２、機能キー３３、スロット３４、スピーカー３５、外部接続端子３６、及び、送信器３７が設置される。コントロールボックス３０内のデコーダー３８、マルチメディア制御回路３９、メモリモジュール４０、デコーダー３８の各回路、マルチメディア制御回路３９及びメモリモジュール４０の回路は、同一のモジュール化回路、或いは、半導体チップに形成され、これにより、マルチメディア制御回路３９は、コントロールボックス３０の全機能を実行することができる。
【００１３】
図５、図６に示す本考案のイメージコード化電子ブックの構造において、使用者がコントロールボックス３０の電源スイッチ３２を入れた後、閲読する書籍１０の頁において、使用者は読取装置２０を持ち、その頁のパターン１２或いは文字１３を選択すると、読取装置２０の読み取りヘッド２１に設けたフィルター２２により、パターン１２或いは文字１３の色番号に相当する波長を遮断し、直接、パターン１２或いは文字１３に対応するドット１４を読み取りヘッド２１で読み取って、コード化されたブロック頁、及び、頁、及び、座標値、或いは、識別できる文字、或いは、数値符号を取得すると同時に、この取得した信号をコントロールボックス３０内のデコーダー３８に伝送し、デコードの工程を実行する。デコード後取得したデータは、マルチメディア制御回路３９を経て、メモリモジュール４０内の対応するデータを読み取って、メモリモジュール４０から読み取るこの頁に対応するデータ保存位置を確認すると共に、スピーカー３５に出力して、音声再生の機能を達成する。
【００１４】
メモリモジュール４０内に予め入力されたデータは、コントロールボックス３０に形成されたスロット３４を介して外付けされる外接式挿接方式のアクセス装置でアクセスして、メモリモジュール４０の容量のロードを低下させる。これにより、各書籍内容の違いによって書籍内容に合わせて対応するアクセス装置を使用することができる。アクセス装置は、ＳＤ，ＣＦ，ＨＤ，一般のアクセス装置であり、使用機能が向上し、使用範囲が広がる。
【００１５】
更に、マルチメディア制御回路３９では、データにエラーがないことを確認した後、使用者は、コントロールボックス３０の機能キー３３が入力した設定をディスプレイ３１に表示する。マルチメディア制御回路３９により、コントロールボックス３０のスピーカー３５を駆動して、音声を出力する。この他、コントロールボックス３０の送信器３７を駆動して、ワイヤレス伝送方式で、ＴＶ，ＤＶＤ，ＶＣＤ，ＣＤ，映像プレーヤー、或いは、ブルートゥースイヤフォン（Bluetooth earphone）が出力するイメージや音声を制御し、更に、コントロールボックス３０の外部接続端子３６により、有線連結の伝送方式で、イメージ、或いは、音声を、イヤフォン，ＴＶ，ＤＶＤ，ＶＣＤ，ＣＤ，或いは、プレーヤーに出力する。
【００１６】
図７は、本考案のイメージコード化電子ブックの構造のもう一つ別の実施方法を示している。読取装置２０、及び、コントロールボックス３０は、単一構造の電子素子に組み込まれ、同一構造体を構成すると共に、録音やＭＰ３の機能を兼ね備える。同様に、読取装置２０の回路素子とコントロールボックス３０内に設置されたデコーダー３８の回路、マルチメディア制御回路３９、メモリモジュール４０の回路を、同一のモジュール化回路、或いは、半導体チップに形成する。
【図面の簡単な説明】
【００１７】
【図１】本考案の全体構造を示した説明図である。
【図２】本考案の書籍の実施例を示した説明図である。
【図３】本考案の書籍のドット印刷の実施例を示した説明図である。
【図４】本考案の書籍のドットの印刷のもう一つの実施例を示した説明図である。
【図５】本考案の工程を示した説明図である。
【図６】本考案の操作実施例を示した説明図である。
【図７】本考案の別の実施例の全体構造を示した説明図である。
【符号の説明】
【００１８】
１０…書籍
１１…内頁
１２…パターン
１３…文字
１４…ドット
２０…読取装置
２１…読み取りヘッド
２２…フィルター
３０…コントロールボックス
３１…ディスプレイ
３２…電源スイッチ
３３…機能キー
３４…スロット
３５…スピーカー
３６…外部接続端子
３７…送信器
３８…デコーダー
３９…マルチメディア制御回路
４０…メモリモジュール
【図１】
0003106896.tif 000003
【図２】
0003106896.tif 000004
【図３】
0003106896.tif 000005
【図４】
0003106896.tif 000006
【図５】
0003106896.tif 000007
【図６】
0003106896.tif 000008
【図７】
0003106896.tif 000009
【手続補正書】
【提出日】平成16年9月2日(2004.9.2)
【手続補正１】
【補正対象書類名】実用新案登録請求の範囲
【補正対象項目名】全文
【補正方法】変更
【補正の内容】
【実用新案登録請求の範囲】
【請求項１】
イメージコード化電子ブックの構造であって、
内頁に印刷されたパターンや文字が一定数量のドットに対応し、前記パターンや文字を含むドットは、ブロックコードの頁、及び、座標値、或いは、識別できる文字、或いは、数値符号を構成し、ドットが使用する印刷色番号は、パターンと文字が使用する印刷色番号と重複しない書籍と、
読み取りヘッド及び該読み取りヘッドの前端に設けたフィルターを有し、前記フィルターはドットが使用する色番号の波長を透過するように対応し、これにより、文字、或いは、パターンが使用する色番号の波長を遮断して、フィルターの機能を達成すると共に、ドットが構成するブロックコードの頁、及び、座標値、或いは、識別できる文字、或いは、数値符号の読み取りを達成する読取装置と、
外表面に、少なくとも、電源スイッチ、スピーカーを設置し、内部にデコーダー、マルチメディア制御回路、メモリモジュールを有し、前記マルチメディア制御回路により、全機能を実行するコントロールボックスと、
からなり、
前記読取装置は、前記書籍内頁のターゲットを取得し、前記ターゲットは、そのコードの頁、及び、座標値、或いは、識別できる文字、或いは、数値符号に対応し、前記読取装置は、取得したコード頁、及び、座標値、或いは、識別できる文字、或いは、数値符号信号を前記コントロールボックスに伝送し、前記デコーダーによりデコードを実行し、デコードされて得たデータを更に、前記マルチメディア制御回路を経て、前記メモリモジュール内の対応するデータを読み取り、前記メモリモジュールから読み取られる対応する前記頁のデータの保存位置を確認すると共に、前記スピーカーに出力して、音声再生の機能を達成することを特徴とするイメージコード化電子ブックの構造。
【請求項２】
前記書籍の内頁は、白紙、或いは、色紙を表面にし、特殊な色のインクにより、ドットを印刷し、前記ドットは、ＸとＹ軸方向に延伸し、頁の前面に形成し、前記ドット間の距離は、文字、或いは、パターンがレイアウトしたい版面の大きさを含む範囲によって、前記ドットの印刷間隔を設定し、更に、前記ドット表面に、カラーの文字、パターンを印刷するか、或いは、白紙、或いは、色紙表面に、まず、カラーの文字、パターンを印刷した後、特殊なカラーインクにより、ドットを印刷することを特徴とする請求項１に記載のイメージコード化電子ブックの構造。
【請求項３】
前記読取装置は、ＣＣＤセンサー、或いは、ＣＭＯＳセンサーで、前記コントロールボックス間は、ワイヤレス、或いは、有線の方式で、信号伝送を達成することを特徴とする請求項１に記載のイメージコード化電子ブックの構造。
【請求項４】
前記コントロールボックスは、表面の適切な場所に、スロットを設け、前記メモリモジュール内に、予め入力されたデータは、前記コントロールボックスが有する前記スロットにより、外接式挿接方式のアクセス装置でアクセスし、前記アクセス装置は、ＳＤ，ＣＦ，ＨＤ，一般のアクセス装置で、前記コントロールボックスは、表面の適切な場所に送信器を有し、前記コントロールボックスの前記送信器により、ワイヤレス伝送方式で、ＴＶ，ＤＶＤ，ＶＣＤ，ＣＤ，映像プレーヤー、或いは、ブルートゥースイヤフォンが出力するイメージや、音声を制御し、前記コントロールボックスは、表面の適切な場所に外部接続端子を設け、この外部接続端子により、有線連結の伝送方式で、イメージ、或いは、音声を、イヤフォン、ＴＶ，ＤＶＤ，ＶＣＤ，ＣＤ，或いは、プレーヤーに出力し、前記コントロールボックスは、表面に、ディスプレイと機能キーを有し、制御、選択、実行、或いは、出力を行うことを特徴とする請求項１に記載のイメージコード化電子ブックの構造。
【請求項５】
前記デコーダーの回路、前記マルチメディア制御回路、及び、前記メモリモジュールの回路は、モジュール化回路、或いは、半導体チップに形成されることを特徴とする請求項１に記載のイメージコード化電子ブックの構造。
【請求項６】
前記読取装置と前記コントロールボックスは、単一構造の電子素子に組み込まれて、同一の構造体に構成されると共に、録音、ＭＰ３再生の機能を具備し、前記読取装置の回路素子と前記デコーダーの回路、前記マルチメディア制御回路、及び、前記メモリモジュールの回路は、同一のモジュール化回路、或いは、半導体チップに形成されることを特徴とする請求項１に記載のイメージコード化電子ブックの構造。